(57)【要約】【課題】作業の進行状況の情報を管理するだけで、作業の進行状況と当該作業の作業対象の進行状況とを表示すると共に作業レベルの進行状況でジョブ間の比較を可能とした表示を行うことができるプログラム及びユーザインターフェース並びにプログラムを記録したコンピュータ読取り可能な記録媒体の提供。【解決手段】作業対象であるジョブに設定された作業を複数の属性値を有するアクションとして管理する機能を実現させるためのユーザインターフェースであって、前記アクションの１又は２以上の属性をカラム属性とし、該カラム属性に対応する属性値を有するアクション情報を表形式にて一覧表示する機能と、前記アクションの１つのカラム属性に関わるアクションの属性値を当該アクションの設定対象であるジョブ毎に関連づけたジョブ進行情報を表形式にて一覧表示する機能とを有するユーザインターフェース、該ユーザインターフェースをコンピュータに実現させるプログラム及び該プログラムを記録したコンピュータ読取り可能な記録媒体。【選択図】        図１
2004288063.tif 000002
【特許請求の範囲】
【請求項１】
コンピュータに、作業対象であるジョブに設定された作業を複数の属性値を有するアクションとして管理する機能を実現させるためのプログラムであって、
前記アクションの１又は２以上の属性をカラム属性とし、該カラム属性に対応する属性値を有するアクション情報を表形式にて一覧表示する機能と、
前記アクションの１つのカラム属性に関わるアクションの属性値を当該アクションの設定対象であるジョブ毎に関連づけたジョブ進行情報を表形式にて一覧表示する機能とを有することを特徴とするプログラム。
【請求項２】
前記アクション情報の一覧表示と前記ジョブ進行情報の一覧表示とを切替える機能を有することを特徴とする請求項１記載のプログラム。
【請求項３】
前記ジョブ進行情報として表示する属性値に対応するカラム属性を選択する機能を有することを特徴とする請求項１又は２記載のプログラム。
【請求項４】
前記一覧表示は、属性値を水平方向に配置することを特徴とする請求項１、２又は３記載のプログラム。
【請求項５】
前記属性は、アクションを特定するための作業ＩＤ、アクションとして設定された作業の名称である作業名、前記作業の段階を示す作業区分、前記作業を行う作業者を示す作業者名、前記作業の状態を示す作業状態、前記作業状態を最後に変更した時刻を特定する作業状態変更日時の少なくとも１つであることを特徴とする請求項１、２、３又は４記載のプログラム。
【請求項６】
前記作業状態は、予約、未着手、開始、中断、終了、確定の何れかであることを特徴とする請求項５記載のプログラム。
【請求項７】
前記ジョブ進行情報の一覧表示において前記属性値の配置順序、前記属性値の配置個数、前記属性値の背景色の少なくとも１つを設定する機能と、該設定に基づいた表示を行う機能を有することを特徴とする請求項１〜６の何れかに記載のプログラム。
【請求項８】
前記属性値の配置順序及び前記属性値の背景色は、前記属性値の作業状態に応じて設定されることを特徴とする請求項７記載のプログラム。
【請求項９】
コンピュータに、作業対象であるジョブに設定された作業を複数の属性値を有するアクションとして管理する機能を実現させるためのユーザインターフェースであって、
前記アクションの１又は２以上の属性をカラム属性とし、該カラム属性に対応する属性値を有するアクション情報を表形式にて一覧表示する機能と、
前記アクションの１つのカラム属性に関わるアクションの属性値を当該アクションの設定対象であるジョブ毎に関連づけたジョブ進行情報を表形式にて一覧表示する機能とを有することを特徴とするユーザインターフェース。
【請求項１０】
前記アクション情報の一覧表示と前記ジョブ進行情報の一覧表示とを切替える機能を有することを特徴とする請求項９記載のユーザインターフェース。
【請求項１１】
前記ジョブ進行情報として表示する属性値に対応するカラム属性を選択する機能を有することを特徴とする請求項９又は１０記載のユーザインターフェース。
【請求項１２】
前記一覧表示は、属性値を水平方向に配置することを特徴とする請求項９、１０又は１１記載のユーザインターフェース。
【請求項１３】
前記属性は、アクションを特定するための作業ＩＤ、アクションとして設定された作業の名称である作業名、前記作業の段階を示す作業区分、前記作業を行う作業者を示す作業者名、前記作業の状態を示す作業状態、前記作業状態を最後に変更した時刻を特定する作業状態変更日時の少なくとも１つであることを特徴とする請求項９、１０、１１又は１２記載のユーザインターフェース。
【請求項１４】
前記作業状態は、予約、未着手、開始、中断、終了、確定の何れかであることを特徴とする請求項１３記載のユーザインターフェース。
【請求項１５】
前記ジョブ進行情報の一覧表示において前記属性値の配置順序、前記属性値の配置個数、前記属性値の背景色の少なくとも１つを設定する機能と、該設定に基づいた表示を行う機能を有することを特徴とする請求項９〜１４の何れかに記載のユーザインターフェース。
【請求項１６】
前記属性値の配置順序及び前記属性値の背景色は、前記属性値の作業状態に応じて設定されることを特徴とする請求項１５記載のユーザインターフェース。
【請求項１７】
請求項１乃至請求項８の何れか１項に記載のプログラムを記録したコンピュータ読取り可能な記録媒体。
【発明の詳細な説明】
【０００１】
【発明の属する技術分野】
本発明は、プログラム及びユーザインターフェース並びにプログラムを記録したコンピュータ読取り可能な記録媒体に関し、作業の進行状況を管理する上で適切な表示を行うことができるプログラム及びユーザインターフェース並びにプログラムを記録したコンピュータ読取り可能な記録媒体に関する。
【０００２】
【従来の技術】
従来、コンピュータに作業の進行状況を表形式に表示させることにより作業を管理するプログラムが知られている。
【０００３】
また、作業対象となるジョブに設定された作業を複数の属性を有するアクションとしてコンピュータで管理する方法がある。前記複数の属性は、対応する作業の作業名や作業状態といった、作業を管理する上で必要となる情報であり、これらの属性を表形式のカラムに配置し、アクションを一覧表示することにより、各アクションによって規定される作業の状況を把握・管理することが出来た。
【０００４】
このような表示方法は、各作業についての詳細な進行状況を一覧で把握することができ、作業や当該作業の作業者を管理するうえでは有用であった。
【０００５】
しかし、作業対象であるジョブに対して一連の業務プロセスに応じた複数のアクションが設定されるような場合においては、ジョブのライフサイクル（進行状況）を管理するうえでジョブ別にアクションを管理する必要がある。
【０００６】
このような場合、従来の表形式でのアクションの一覧表示方法においては、ジョブをカラム属性に加え、ジョブカラムによってアクションのリストをソートすることにより、ジョブ毎にまとめてアクションを把握・管理することが可能であった。あるいは、進行状況を確認したいジョブを特定し、当該ジョブに関わるアクションのみを一覧表示するドリルダウンと呼ばれる手法も多用されている。
【０００７】
しかし、こうした従来の方法では、複数のジョブの進行状況を対比して管理することや、特定の進行状況にあるジョブを把握するという逆方向での管理が容易には出来ないという問題があった。特にプリプレス業務などのように、管理対象となるジョブやアクションが多い場合は、こうした問題が管理業務でのボトルネックを引き起こしていた。
【０００８】
そのため、従来の進行管理手法では、ジョブの進行状況を管理するために、ジョブに専用の状態属性をもたせ、当該属性を用いてジョブを管理していた。この場合、当該属性とアクションとの関係性をビジネスロジックとして定義するか、あるいは当該属性を管理者が直接的に変更する必要がある。しかし、この手法では、ジョブの進行状況を、専用の属性情報のみによって管理することになる。
【０００９】
そこで本発明者は、アクションの属性値を利用してジョブの進行管理を容易に行える表示形式を見出した。この方法では、アクションの属性値のデータを管理するだけで、表示形式を切替えることによって、アクションの進行状況とジョブの進行状況を把握・管理することが可能になる。また、あらゆるアクションの属性をもとに、ジョブの進行状況を管理することが可能となった。
【００１０】
【発明が解決しようとする課題】
そこで、本発明の課題は、作業の進行状況の情報を管理するだけで、作業の進行状況と当該作業の作業対象の進行状況とを表示すると共に作業レベルの進行状況でジョブ間の比較を可能とした表示を行うことができるプログラム及びユーザインターフェース並びにプログラムを記録したコンピュータ読取り可能な記録媒体を提供することにある。
【００１１】
本発明の他の課題は、本明細書の以下の記載によって明らかになる。
【００１２】
【課題を解決するための手段】
上記課題は、以下の各発明によって解決される。
【００１３】
（請求項１）コンピュータに、作業対象であるジョブに設定された作業を複数の属性値を有するアクションとして管理する機能を実現させるためのプログラムであって、前記アクションの１又は２以上の属性をカラム属性とし、該カラム属性に対応する属性値を有するアクション情報を表形式にて一覧表示する機能と、前記アクションの１つのカラム属性に関わるアクションの属性値を当該アクションの設定対象であるジョブ毎に関連づけたジョブ進行情報を表形式にて一覧表示する機能とを有することを特徴とするプログラム。
【００１４】
（請求項２）前記アクション情報の一覧表示と前記ジョブ進行情報の一覧表示とを切替える機能を有することを特徴とする請求項１記載のプログラム。
【００１５】
（請求項３）前記ジョブ進行情報として表示する属性値に対応するカラム属性を選択する機能を有することを特徴とする請求項１又は２記載のプログラム。
【００１６】
（請求項４）前記一覧表示は、属性値を水平方向に配置することを特徴とする請求項１、２又は３記載のプログラム。
【００１７】
（請求項５）前記属性は、アクションを特定するための作業ＩＤ、アクションとして設定された作業の名称である作業名、前記作業の段階を示す作業区分、前記作業を行う作業者を示す作業者名、前記作業の状態を示す作業状態、前記作業状態を最後に変更した時刻を特定する作業状態変更日時の少なくとも１つであることを特徴とする請求項１、２、３又は４記載のプログラム。
【００１８】
（請求項６）前記作業状態は、予約、未着手、開始、中断、終了、確定の何れかであることを特徴とする請求項５記載のプログラム。
【００１９】
（請求項７）前記ジョブ進行情報の一覧表示において前記属性値の配置順序、前記属性値の配置個数、前記属性値の背景色の少なくとも１つを設定する機能と、該設定に基づいた表示を行う機能を有することを特徴とする請求項１〜６の何れかに記載のプログラム。
【００２０】
（請求項８）前記属性値の配置順序及び前記属性値の背景色は、前記属性値の作業状態に応じて設定されることを特徴とする請求項７記載のプログラム。
【００２１】
（請求項９）コンピュータに、作業対象であるジョブに設定された作業を複数の属性値を有するアクションとして管理する機能を実現させるためのユーザインターフェースであって、前記アクションの１又は２以上の属性をカラム属性とし、該カラム属性に対応する属性値を有するアクション情報を表形式にて一覧表示する機能と、前記アクションの１つのカラム属性に関わるアクションの属性値を当該アクションの設定対象であるジョブ毎に関連づけたジョブ進行情報を表形式にて一覧表示する機能とを有することを特徴とするユーザインターフェース。
【００２２】
（請求項１０）前記アクション情報の一覧表示と前記ジョブ進行情報の一覧表示とを切替える機能を有することを特徴とする請求項９記載のユーザインターフェース。
【００２３】
（請求項１１）前記ジョブ進行情報として表示する属性値に対応するカラム属性を選択する機能を有することを特徴とする請求項９又は１０記載のユーザインターフェース。
【００２４】
（請求項１２）前記一覧表示は、属性値を水平方向に配置することを特徴とする請求項９、１０又は１１記載のユーザインターフェース。
【００２５】
（請求項１３）前記属性は、アクションを特定するための作業ＩＤ、アクションとして設定された作業の名称である作業名、前記作業の段階を示す作業区分、前記作業を行う作業者を示す作業者名、前記作業の状態を示す作業状態、前記作業状態を最後に変更した時刻を特定する作業状態変更日時の少なくとも１つであることを特徴とする請求項９、１０、１１又は１２記載のユーザインターフェース。
【００２６】
（請求項１４）前記作業状態は、予約、未着手、開始、中断、終了、確定の何れかであることを特徴とする請求項１３記載のユーザインターフェース。
【００２７】
（請求項１５）前記ジョブ進行情報の一覧表示において前記属性値の配置順序、前記属性値の配置個数、前記属性値の背景色の少なくとも１つを設定する機能と、該設定に基づいた表示を行う機能を有することを特徴とする請求項９〜１４の何れかに記載のユーザインターフェース。
【００２８】
（請求項１６）前記属性値の配置順序及び前記属性値の背景色は、前記属性値の作業状態に応じて設定されることを特徴とする請求項１５記載のユーザインターフェース。
【００２９】
（請求項１７）請求項１乃至請求項８の何れか１項に記載のプログラムを記録したコンピュータ読取り可能な記録媒体。
【００３０】
【発明の実施の形態】
以下、本発明の実施の形態を図面に基づいて説明する。
【００３１】
本発明のプログラムの特徴は、コンピュータに、作業対象であるジョブに設定された作業を複数の属性値を有するアクションとして管理する機能を実現させるためのプログラムであって、前記アクションの１又は２以上の属性をカラム属性とし、該カラム属性に対応する属性値を有するアクション情報を表形式にて一覧表示する機能と、前記アクションの１つのカラム属性に関わるアクションの属性値を当該アクションの設定対象であるジョブ毎に関連づけたジョブ進行情報を表形式にて一覧表示する機能とを有することである。
【００３２】
ここでカラム属性とは、表形式で一覧表示する際に、表のヘッダとして採用される属性である。かかるカラム属性には、アクションが設定されたジョブを特定する情報が含まれていることが好ましい。
【００３３】
本発明のプログラムについて図１乃至図４に基づいて以下詳細に説明する。
【００３４】
図１は、本発明のプログラムの機能を説明するための説明図であり、図２は、他の表示例を説明するための説明図であり、図３は、並び順の一例及び他の例を説明するための説明図であり、図４は、本発明のプログラムにおいて好ましく用いられるデータテーブルの一例を示す図である。
【００３５】
本発明のプログラムは、作業対象であるジョブに設定された作業を複数の属性値を有するアクションとして管理している。
【００３６】
かかるアクションの複数の属性値は、データとして管理されており、該アクションの属性値を図１のアクションモード１の表形式とジョブモード２ａの表形式の２種類の表形式の何れかで表示することができる。
【００３７】
図１は、ジョブＩＤ「Ｊ１」で示されるジョブに作業ＩＤ「Ａ１」、「Ａ２」、「Ａ３」で示される複数のアクションが設定され、ジョブＩＤ「Ｊ２」で示されるジョブが作業ＩＤ「Ｂ１」、「Ｂ２」で示される複数のアクションが設定されている場合のアクションモード１及びジョブモード２ａを示している。
【００３８】
図１においては、アクションモード１として、アクションの１又は２以上の属性をカラム属性とし、該カラム属性に対応する属性値を有するアクション情報を表形式にて一覧表示している。
【００３９】
アクションの属性は、アクションの内容を示すパラメータであり、例えば、アクションを特定するための作業ＩＤ、アクションとして設定された作業の名称である作業名、前記作業の段階を示す作業区分、前記作業を行う作業者を示す作業者名、前記作業の状態を示す作業状態、前記作業状態を最後に変更した時刻を特定する作業状態変更日時を採用することが好ましい。
【００４０】
作業状態は、予約、未着手、開始、中断、終了、確定の何れかであることが好ましい。
【００４１】
作業区分は、一つのジョブが複数の直し段階を経て仕上げられるような場合の業務の段階を表している。例えば、プリプレス作業においては、新規、初校、再校、三校、四校…下版などが当該属性の属性値として設定されることが好ましい。
【００４２】
また、ジョブモード２ａは、アクションモード１におけるカラム属性の１つに関わるアクションの属性値を当該アクションの設定対象であるジョブ毎に関連づけたジョブ進行情報を表形式にて一覧表示している。ジョブモード２ａは、アクションモード１で表示したアクションの複数のカラム属性のうち、１つのカラム属性に対応する属性値を当該アクションが設定されたジョブのジョブ進行情報として一覧表示する。このように、ジョブモードは、アクションモードにおいて表示したデータの表示方法の組み替えを行うことにより、表示方法を再構成したものである。即ち、アクションモードにおいて表示を行うために用いたデータを用いてジョブモードにおける表示を行うことができる。
【００４３】
従って、ネットワークを介して取得したデータを元に表示を行うような場合、表示をアクションモードとジョブモードとで切替えたい場合、１度取得したデータに基づいてアクションモードとジョブモードとを選択的に表示することができるので、新たに情報を取得する必要がないため、低速なネットワークを介して情報を取得するようなシステム形態においても高速な切替表示が可能である。
【００４４】
一方、本発明のプログラムによれば、ジョブに設定されたアクションは作業者や作業名など複数の属性を有しており、これらの属性情報を用いてジョブの進行状況をいろいろな角度から把握することが可能になり、多面的な進行管理が可能になる。即ち、本発明のプログラムによれば、あらゆるアクションの属性をもとに、ジョブの進行状況を管理することが可能となる。
【００４５】
図１に示す例において、アクションモード１における一覧表示は、通常の業務に用いられる管理帳票類の形式やコンピュータプログラムにおける文字の配置方向の一般性を考慮して、属性値を水平方向に配置し、１アクションを１行として表示している。また、ジョブモード２ａにおいても、属性値をジョブ別にドリルダウン形式つまり垂直方向に配置するのではく、水平方向に配置し、１ジョブを１行として表示している。ジョブ間での作業進行状態を比較して把握することができるからである。同様の効果は１ジョブを１列に配置することでも可能であるが、アクションモード１とで表の軸反転が生じるので、視認性の点において１ジョブを１行として表示（属性値を水平方向に配置）することが好ましい。また、ジョブモード２ａでは、各ジョブに配置された属性値の数の比較を図的に、つまり面積比として捉えることが可能であるため、瞬時にジョブの進行状態を把握することが可能である。
【００４６】
また本発明のプログラムは、上記アクションモード１とジョブモード２ａとは切替える機能を有することが好ましい。
【００４７】
本発明のプログラムは、アクションモードとしてアクションを軸にアクションの属性を表示することができ、ジョブモードとしてジョブを軸にアクションの特定の属性を表示することができる。従って、各作業の詳細情報の確認と、作業の設定対象であるジョブ（複数の作業によって構成される業務の管理単位）の作業進行状況／作業履歴の確認とを、表示モードを切替えるだけで容易に行うことができるので、作業の進行状況を管理する上で適切な表示を行うことができる。
【００４８】
また本発明のプログラムは、ジョブ進行情報として表示するカラム属性を選択する機能を有することが好ましい。例えば、図１のジョブモード２ａに替えて、図２に示すように、ジョブモード２ｂのように作業ＩＤ、ジョブモード２ｃのように作業区分、ジョブモード２ｄのように作業者、ジョブモード２ｅのように作業状態をカラム属性としたジョブ進行情報を表示させることができる。
【００４９】
こうすることによって、上記作業ＩＤ、作業区分、作業者、作業状態等の各キーによって様々な角度から管理業務の作業進行状況／作業履歴を一覧で把握できる。
【００５０】
また、ジョブモードの表示において、属性値の「配置順序」、属性値の「配置個数」、属性値の「背景色」を設定できることが好ましい。
【００５１】
「配置順序」は、表示並び順位に従い、「セル状・水平方向に昇順で配置する」とか、表示並び順位に従い、「セル状・水平方向に降順で配置する」とかの設定である。配置順序を設定する場合、属性値の並び順位を決定づけるデータテーブルを有していることが好ましい。
【００５２】
図３は、「配置順位」を説明するための図である。図３において各列は同一のアクションの属性値であり、説明のためにアクションの複数の属性値を作業名、作業状態、状態移行日時の順番で縦方向に並べて示している。例えば図４に示すようなデータテーブル３を設けて、作業状態の一連の流れを並び順位として決定づけ、「配置順序」を「セル状・水平方向に昇順で配置する」と設定した場合、図３（ａ）に示す配置位置で配置されている場合、作業状態でソートをかけると図３の（ｂ）で示す配置位置に変更され、状態移行日時でソートをかけると図３（ｃ）に示す配置位置に変更される。このように、図３（ｂ）の段階では、作業状態の並び順位に従って作業状態が並べ替えられるので、各ジョブについてどの作業状態がどの程度あるのかをジョブの進行状況として把握可能な表示を行うことができる。また、図３（ｃ）の段階では、同一の作業状態間についても状態移行日時によって並べ替えられるのでジョブの作業順序をアクションの属性値の並びで捉えることができる。
【００５３】
このようにすることで、各ジョブの進行状況／作業履歴の把握と、これらのジョブ間での比較を視覚的に容易に行うことが可能となる。
【００５４】
「配置個数」は、全作業を配置するとか、予め規定された個数の属性値のみを配置するとかの設定である。予め規定された個数の属性値のみを配置する場合は、状態変更日時が最新であるものから予め規定された個数を配置するとか、状態変更日時が古いものから予め規定された個数を配置するとか、条件を設定することもできる。条件を設定することによって、ジョブに設定されたアクションのうちの必要なものだけをジョブ進行情報として表示することによってジョブの管理を容易にする。例えば、アクションモードにおいて「ＪＯＢ  Ａ」についてのアクションが４個ある場合でも、配置個数を３個と設定すれば、ジョブモードにおいては３個のアクションの属性のみが表示される。
【００５５】
「背景色」は、全セル同色で描画するとか、作業状態に応じた背景色で描画するとかの設定である。例えば、図５に示すようなテーブルを設けて、各作業状態と背景色を関連づけておいて、該関連づけに基づいて背景色を変えることができる。このようにすることによって、作業状態以外の属性を表示させつつ作業状態についても把握可能に表示することができる。
【００５６】
また、本発明のプログラムは、「新規、初校、再校、三校、・・・下版」というように様々な直し段階にある作業が並列で行われているプリプレス業務に好ましく適用できる。プリプレス業務に適用すれば、作業区分をキーに表示することで、各ジョブがどの直し段階にあるのかを瞬時に把握することができる効果がある。
【００５７】
次に、本発明のプログラムを実施するためのシステム構成の一例について図６及び図７を用いて説明する。
【００５８】
図６は、本発明のプログラムを実施するためのシステム構成の一例を示すブロック図であり、図７は、図６に示すシステムに好ましく用いられるデータテーブル構造の一例を示す図である。
【００５９】
本発明のプログラムにかかるシステムは、図６に示すように、作業情報表示切替指示手段１０、作業情報表示手段１１、作業情報取得手段１２、作業情報表示更新指示手段１３、作業情報記録手段１４、ジョブ情報記録手段１５、作業情報作成手段１６、作業情報更新手段１７、ジョブ情報作成手段１８を備えており、好ましくは表示方法設定手段１９、表示方法記録手段２０、作業状態情報記録手段２１、作業情報削除手段２２、ジョブ情報更新手段２３、ジョブ情報削除手段２４を備えている。
【００６０】
作業情報表示手段１１は作業情報を表示する。かかる表示は、作業情報表示切替手段１０において切替られる。具体的には、例えば、図１の第１の表示形式１の状態からジョブモード２ａの状態に切替えることができる。
【００６１】
また、表示方法記録手段２０には、例えば図７の表示方法情報テーブルｄに示すように「配置順序」、「配置個数」、「背景色」等の表示方法に関する情報が記録されていることが好ましい。
【００６２】
作業状態情報記録手段２１には、例えば図７の作業状態情報テーブルｃに示すように「作業状態」、「並び順位」等の作業状態とその並び順に関する情報が記録されていることが好ましい。
【００６３】
作業情報表示手段１１で表示される情報は、作業情報表示更新指示手段１３において更新の指示があると、更新される。更新は、作業情報取得手段１２により、作業情報が記録されている作業情報記録手段１４から作業情報を取得し、取得した作業情報を元に作業情報表示手段１１において表示の内容が更新される。本発明のプログラムにおける表示においては、ジョブ情報記録手段１５に記録されているジョブ情報は取得する必要はない。
【００６４】
作業情報記録手段１４に記録される作業情報は、各アクションを示す情報であり、例えば、図７の作業情報テーブルｂに示すように作業ＩＤ、ジョブＩＤ、作業名、作業区分、作業者、作業状態、作業移行日時を関連づけて記録することが好ましい。
【００６５】
ジョブ情報記録手段１５に記録されるジョブ情報は、各ジョブを示す情報であり、例えば、図７のジョブ情報テーブルａに示すようにジョブＩＤ、ジョブ名を関連づけて記録することが好ましい。
【００６６】
作業情報記録手段１４とジョブ情報記録手段１５には、それぞれ情報を作成する作業情報作成手段１６及び作業情報更新手段１７によって作成又は更新された情報が記録される。
【００６７】
作業情報記録手段１４に記録された作業情報は、作業情報削除手段２２によって適宜に削除されることが好ましい。
【００６８】
また、ジョブ情報記録手段には、ジョブ情報作成手段１８により作成されたジョブ情報が記録され、好ましくは、ジョブ更新手段２３によりジョブ情報が更新され、ジョブ情報削除手段２４によりジョブ情報が削除される。
【００６９】
（表示切替）
かかるシステムにおいて、表示方法の切替えを行う場合は、作業情報表示切替指示手段１０において、作業情報の表示切替えを行う旨の指示をする。
【００７０】
前記変更の指示があると、表示方法記録手段２０又は作業状態情報情報記録手段２１において記録されている表示方法情報や、作業状態情報に基づいて表示の切替えを行う。
【００７１】
（表示更新）
かかるシステムにおいて、表示の更新を行う場合は、作業情報表示更新指示手段１３において、表示の更新を行う指示をする。
【００７２】
前記更新の指示があると、作業情報取得手段１２により、作業情報記録手段１４に記録された作業情報とジョブ情報とを取得し、作業情報表示手段１１に送る。
【００７３】
作業情報表示手段１１は、表示方法記録手段２０又は作業状態情報情報記録手段２１において記録されている表示方法情報や、作業状態情報に基づいて、取得した作業情報をアクション情報又はジョブ進行情報として表示する。
【００７４】
上記の本発明のプログラムによる情報の表示及び操作は、かかるソフトウエアアプリケーションの制御及びそれを実現するハードウエア資源（パソコン等）により実施できる。
【００７５】
本発明のユーザインターフェースは、上記プログラムを実現するためのソフトウエアアプリケーションを搭載したハードウエアとして実施することができる。
【００７６】
また、本発明のプログラムを記録したコンピュータ読取り可能な記録媒体としては、ＦＤ（フレキシブルディスク）、ＣＤ−ＲＯＭ、ＭＯ（光磁気ディスク）等の公知の記録媒体を用いることができる。
【図面の簡単な説明】
【図１】本発明のプログラムの機能を説明するための説明図
【図２】他の表示例を説明するための説明図
【図３】並び順の一例及び他の例を説明するための説明図
【図４】本発明のプログラムにおいて好ましく用いられるデータテーブルの一例を示す図
【図５】背景色の設定を行うためのデータテーブルの一例を示す図
【図６】本発明のプログラムを実施するためのシステム構成の一例を示すブロック図
【図７】図６に示すシステムに好ましく用いられるデータテーブル構造の一例を示す図
【符号の説明】
１：アクションモード
２ａ、２ｂ、２ｃ、２ｄ、２ｅ：ジョブモード
１０：作業情報表示切替指示手段
１１：作業情報表示手段
１２：作業情報取得手段
１３：作業情報表示更新指示手段
１４：作業情報記録手段
１５：ジョブ情報記録手段
１６：作業情報作成手段
１７：作業情報更新手段
１８：ジョブ情報作成手段
１９：表示方法設定手段
２０：表示方法記録手段
２１：作業状態情報記録手段
２２：作業情報削除手段
２３：ジョブ情報更新手段
２４：ジョブ情報削除手段
【図１】
2004288063.tif 000003
【図２】
2004288063.tif 000004
【図３】
2004288063.tif 000005
【図４】
2004288063.tif 000006
【図５】
2004288063.tif 000007
【図６】
2004288063.tif 000008
【図７】
2004288063.tif 000009